(57)【要約】【課題】簡易に収納箱へ設置することができ、さらに使用する材料の低減を図ることが可能な仕切部材を提供すること。【解決手段】仕切部材８は、一側面７ａの上縁部または下縁部の少なくとも一方において折り曲げ可能に延伸形成されるフラップ２、３が設けられた収納箱１に用いられている。仕切部材８は、一側面７ａに対向して起立されると共に、一側面７ａ側壁面がフラップ２、３の自由端部に当接する起立壁部９と、起立壁部９の端縁部が一側面７ａの反対側側面方向へと延伸形成されて収納箱１の他側面７ｂ側に内接する延伸部１０とを有する。【選択図】  図２
2008296949.tif 000002
【特許請求の範囲】
【請求項１】
一側面の上縁部または下縁部の少なくとも一方において折り曲げ可能に延伸形成されるフラップが設けられた収納箱に用いられる仕切部材であって、
前記一側面に対向して起立されると共に、前記一側面側壁面が前記フラップの自由端部に当接する起立壁部と、
該起立壁部の端縁部が前記一側面の反対側側面方向へと延伸形成されて前記収納箱の他側面側に内接する延伸部と
を有することを特徴とする仕切部材。
【請求項２】
延伸形成される前記延伸部を収納物の外形状に応じて折り曲げ加工することにより、前記起立壁部と前記他側面との間に収納される前記収納物の緩衝手段を構成すること
を特徴とする請求項１に記載の仕切部材。
【請求項３】
前記起立壁部の上端縁が折り曲げられると共に、前記収納箱の天井面に沿って側方へと延伸形成される天面保護部
を有することを特徴とする請求項１または請求項２に記載の仕切部材。
【発明の詳細な説明】
【技術分野】
【０００１】
本発明は仕切部材に関し、より詳細には、一側面の上縁部または下縁部の少なくとも一方において折り曲げ可能に延伸形成されるフラップが設けられた収納箱に用いられる仕切部材に関する。
【背景技術】
【０００２】
従来より、商品を搬送する場合には、ダンボールなどで形成される箱状の収納箱に対して商品を収納し、搬送する方法が一般に用いられている。商品を収納箱に収納する場合、１つの商品だけを１つのダンボールに収納する場合もあるが、複数の商品を１つのダンボールに収納する場合もある。
【０００３】
例えば、商品本体と付属品等を１つのダンボールに収納する場合や、食器等の様に複数の商品により商品一式が構成されるものを１つのダンボールに収納する場合などが該当する。
【０００４】
このように、１つのダンボールに複数の商品を収納する場合には、商品同士の接触を防止して商品に傷がついたり商品が破損したりすることを防ぐために、仕切部材を収納箱に設置することが多い。
【０００５】
仕切部材を設置する場合、設置される仕切部材が収納箱内で容易に移動したり倒れたりすると、収納された商品同士が接触して破損等を生じてしまうおそれがある。このため、仕切部材は収納箱内において移動や傾動しないように固定する必要がある。
【０００６】
仕切部材を固定する方法として、例えば、収納箱の側壁に仕切部材の側端部を強固に粘着する方法（例えば、特許文献１参照）が提案されている。
【特許文献１】特開２０００−１２８１５０号公報
【発明の開示】
【発明が解決しようとする課題】
【０００７】
しかしながら、上述したように、収納箱の側壁に仕切部材の側端部を強固に粘着する方法では、仕切部材を粘着させる作業が煩雑であり、作業負担が重いという問題があった。
【０００８】
さらに、仕切部材によって収納箱を仕切った場合であっても、仕切られた収納スペースに対応する緩衝材等を設置する必要があることから、結果として多量の梱包材料が必要になるという問題があった。
【０００９】
本発明は上記問題に鑑みてなされたものであり、簡易に収納箱へ設置することができ、さらに使用する材料の低減を図ることが可能な仕切部材を提供することを課題とする。
【課題を解決するための手段】
【００１０】
上記問題を解決するために、本発明に係る仕切部材は、一側面の上縁部または下縁部の少なくとも一方において折り曲げ可能に延伸形成されるフラップが設けられた収納箱に用いられる仕切部材であって、前記一側面に対向して起立されると共に、前記一側面側壁面が前記フラップの自由端部に当接する起立壁部と、該起立壁部の端縁部が前記一側面の反対側側面方向へと延伸形成されて前記収納箱の他側面側に内接する延伸部とを有することを特徴とする。
【００１１】
本発明に係る仕切部材によれば、起立壁部の一側面側壁面がフラップの自由端部に当接することによって一側面側壁面方向への仕切部材の移動および傾動が規制される。また、仕切部材の延伸部が延伸形成されて収納箱の他側面側に内接するので、収納箱の他側面側方向への仕切部材の移動が規制される。従って、このようにして構成される仕切部材を収納箱に用いることによって、仕切部材が箱内で容易に移動してしまうことを規制することができると共に、仕切部材の起立壁部が容易に傾動してしまうことを防止することができる。
【００１２】
また、延伸部は起立壁部の端部が延伸形成されるものであるため、延伸部と起立壁部とを、例えば、折り曲げ可能な板状部材等によって構成することができる。このため、仕切部材等の部材数を減少させることが可能であると共に、その構成を簡易な構造にすることができる。
【００１３】
さらに、仕切部材を用いて収納箱の内部空間を分けることができるため、異なる収納物を干渉させることなく効率的に収納することが可能となる。
【００１４】
また、上記仕切部材は、延伸形成される前記延伸部を収納物の外形状に応じて折り曲げ加工することにより、前記起立壁部と前記他側面との間に収納される前記収納物の緩衝手段を構成するものであってもよい。
【００１５】
このように、延伸部を折り曲げ加工して収納物の緩衝手段を構成することによって、仕切部材と緩衝手段との共通化を図ることができるので、緩衝手段等の部材数を低減させることができ、コストの低減を実現することが可能となる。
【００１６】
また、仕切部材が緩衝手段を兼ねることにより、仕切部材と緩衝手段とを別々に設ける場合に比べて構成部材数を減らすことができるので、収納作業時における作業負担を低減させることが可能となる。
【００１７】
さらに、延伸部を折り曲げ加工することによって緩衝手段が形成されるため、商品の外形状に応じて折曲加工形状を変更することができ、多種多様な緩衝材形状を簡易に構成することが可能となる。
【００１８】
また、上述した仕切部材は、前記起立壁部の上端縁が折り曲げられると共に、前記収納箱の天井面に沿って側方へと延伸形成される天面保護部を有するものであってもよい。
【００１９】
このように、仕切部材が天面保護部を有することによって、収納箱の天面を形成する一対のフラップに対してテープ材等が粘着されて閉箱されている場合であっても、開箱時にテープ材を裂いた刃物等の先端が収納箱内部に進入することを天面保護部で防ぐことができる。このため、収納箱に収納される商品等を天面保護部で保護し、商品等に傷等がついてしまうことを防止することできる。
【発明の効果】
【００２０】
本発明に係る仕切部材を用いる場合には、フラップを起立壁部に当接させ、さらに延伸部の端部を収納箱の他側面に内接させることによって容易に収納箱内の位置固定を行うことができるので、仕切部材の設置を簡易に行うことが可能となる。
【発明を実施するための最良の形態】
【００２１】
以下、本発明に係る仕切部材について、図面を用いて詳細に説明する。
【００２２】
［実施の形態１］
図１は、実施の形態１に係る仕切部材と、仕切部材が収納される収納箱とを示した斜視図である。
【００２３】
収納箱１は、ダンボールによって構成されている。収納箱１は、ダンボールの端部を繋ぎ合わせることによって上方および下方が開放された矩形筒体を形成した後に、矩形筒体の角部に沿って上下端部より切り込みを入れて折り曲げ可能なフラップを形成し、一定の高さを確保した状態で各フラップを直角内側に折り曲げることによって形成されている。
【００２４】
図１においては、底面側の下縁部に形成されるフラップのうち短辺幅Ｌ１を備える第１フラップ２と、第１フラップ２の上方に位置する天面側の上縁部に形成される第２フラップ３と、同じく天面側の上縁部に形成される短片幅Ｌ１の第３フラップ４と、長片幅を備える第４フラップ５および第５フラップ６が示されている。なお、下縁部に第１フラップ２が設けられ、上縁部に第２フラップ３が設けられる収納箱１の側壁面７ａが、本発明に係る一側面に該当し、収納箱の反対側の側壁面７ｂが、本発明に係る他側面に該当する。
【００２５】
仕切部材８は、図２（ａ）に示すように、第１フラップ２、第２フラップ３および第３フラップ４との短辺幅Ｌ１とほぼ同一幅または僅かに短い幅を備える帯状のダンポール片によって構成されている。仕切部材８は、図２（ａ）に示されるダンボール片の点線部Ａおよび点線部Ｂを山折りに折り曲げるとともに、点線部Ｃを谷折りに折り曲げることによって、図１に示す形状に組み立てられる。ここで、点線部Ａと点線部Ｂとの間のダンボール片部分が、収納箱１における収納空間の境界壁を構成する起立壁部９を成し、点線部Ｃにより折り曲げられたダンボール片の端部部分が延伸部１０を構成する。
【００２６】
図２（ｂ）は、収納箱１に対して折り曲げられた仕切部材８が収納された状態を示す側方断面図である。収納箱１に仕切部材８を収納する場合には、図２（ｂ）に示すように、収納箱１の側壁面７ａの下縁部に形成される第１フラップ２の下側に、点線部Ｂおよび点線部Ｃの折り曲げによって形成される下折返部１１を進入させ、第１フラップ２の自由端部を起立壁部９の側壁面に当接させる。この場合、第１フラップ２は、収納箱１の側壁面７ａの下縁部が折り曲げられたダンボール素材により形成されているため、折り曲げられた第１フラップ２は、ダンボール素材の剛性等によって底面方向へと戻ろうとする力を帯びる傾向がある。
【００２７】
このため、第１フラップ２の下側に進入した下折返部１１は、第１フラップ２によって付勢された状態になると共に、第１フラップ２の自由端部も起立壁部９の側壁面に当接した状態で下方向へと押力を付加した状態となるため、起立壁部９に当接される第１フラップ２により仕切部材８が第１フラップ２側方向へと移動してしまうことを規制することが可能となる。
【００２８】
一方で、延伸部１０の延伸される端部側の寸法は、第１フラップ２の先端が起立壁部９の側壁面に当接した状態において、延伸部１０の端部１０ａが第３フラップ４の設けられる側壁面７ｂの下端縁部に当接する長さに予め規定されている。このため、この延伸部１０の端部１０ａが第３フラップ４側の側壁面７ｂに内接することによって、仕切部材８における側壁面７ｂ方向への移動が規制される。
【００２９】
さらに、仕切部材８の幅寸法は、第１フラップ２等の短辺幅Ｌ１とほぼ同一幅または僅かに短い幅に規定されているため、仕切部材８が収納箱１に収納された状態において、第４フラップ５が設けられる側壁面と第５フラップ６が設けられる側壁面とが仕切部材８の両側端に当接し、幅方向の移動が規制されることとなる。
【００３０】
次に、第２フラップ３を収納箱１の内部側に折り曲げた状態にした後に、第２フラップ３の自由端部を上側から覆うようにして、点線部Ａの折り曲げによって形成される上折返部１２を重ね、その上から第４フラップ５および第５フラップ６を閉じて天面の閉塞を行う。
【００３１】
このように、上折返部１２の下側に第２フラップ３を配置することによって、第１フラップ２と同様に第２フラップ３の自由端部が天面方向へと起き上がろうとする傾向があるため、第２フラップ３の上側に位置する上折返部１２が、第２フラップ３によって付勢された状態になる。さらに、第１フラップ２と同様に、第２フラップ３の自由端部が起立壁部９の側壁面に当接した状態で上方向へ押力を付加するため、起立壁部９に当接される第２フラップ３により仕切部材８の上部が側壁面７ａ方向へと傾動してしまうことを規制することが可能となる。
【００３２】
このようにして仕切部材８が収納箱１に設置されることによって、収納箱１の内部空間を、仕切部材８の起立壁部９によって空間Ｓ１と空間Ｓ２とに分割することが可能となる。また、第１フラップ２による起立壁部９への当接と、延伸部１０の端部１０ａによる側壁面７ｂへの内接によって、仕切部材８の移動が規制されると共に、第２フラップ３による起立壁部９への当接によって、起立壁部９の傾動が規制されるため、起立壁部９の側端部を収納箱１の内壁に粘着固定等することなく仕切部材８の位置固定を行うことが可能となる。
【００３３】
なお、上述した仕切部材８では、延伸部１０の端部１０ａを直接側壁面７ｂに内接する構造としたが、延伸部１０の端部１０ａと側壁面７ｂとの間に図示しない別の部材を設けて、仕切部材８の移動を規制する構造としてもよい。例えば、別の部材の一例として、他の側壁面７ｂ側に設けられるフラップを利用することによって、延伸部１０の端部１０ａが、フラップを介して側壁面７ｂ側に内接する構造であってもよい。
【００３４】
さらに、仕切部材８は、帯状を成す一片のダンボール片によって、つまり１つの部材によって構成されているため、従来の仕切部材のように複数のダンボール片を組み合わせて（組み立てて）構成する必要が無くなり、組み立て作業の簡素化と、構成部品数の低減を図ることが可能となる。
【００３５】
また、仕切部材８の起立壁部９は、第１フラップ２および第２フラップ３によって一側面が支えられているため、収納箱１の全ての側面に当接するだけの寸法幅を仕切部材８において確保する必要が無くなり、仕切部材８を構成する材料の分量を従来に比べて少なくすることが可能となる。
【００３６】
なお、上記実施の形態１では、仕切部材８の起立壁部９と延伸部１０とを一片のダンボール片よって、つまり１つの部材によって構成する場合について説明を行ったが、起立壁部９と延伸部１０とは、必ずしも１つの部材によって構成されるものに限定されない。
【００３７】
例えば、図３（ａ）に示す仕切部材１３のように、起立壁部１４と延伸部１５とを別々の部材によって形成し、起立壁部の下縁部に突縁部１６を設けると共に、突縁部１６に係合するスリット状の係合孔１７を延伸部１５の端部に形成する構造であってもよい。
【００３８】
このようにして仕切部材１３を形成する場合であっても、図３（ｂ）に示すように、収納箱１の内部空間を、仕切部材１３の起立壁部１４によって空間Ｓ１と空間Ｓ２とに分割することが可能となる。また、第１フラップ２による起立壁部１４への当接と、延伸部１５の端部１５ａによる側壁面７ｂへの内接によって、仕切部材１３の移動が規制される。また、第２フラップ３による起立壁部１４への当接によって、起立壁部１４の傾動が規制されるため、仕切部材８の位置固定を行うことが可能となる。
【００３９】
また、図３に示す仕切部材１３においても、延伸部１５の端部１５ａを直接側壁面７ｂに内接する構造としたが、延伸部１５の端部１５ａと側壁面７ｂとの間に図示しない別の部材を設けて、仕切部材１３の移動を規制する構造としてもよい。例えば、別の部材の一例として、他の側壁面７ｂ側に設けられるフラップを利用することによって、延伸部１５の端部１５ａが、フラップを介して側壁面７ｂ側に内接する構造であってもよい。
【００４０】
[実施の形態２]
次に、実施の形態２に係る仕切部材について、図面を用いて詳細に説明する。
【００４１】
実施の形態１に係る仕切部材８は、収納箱１の第１フラップ２および第２フラップ３を利用して仕切部材８の起立壁部９等を支持することにより、仕切部材８の移動や傾動を規制する構造であった。しかしながら、仕切部材８によって収納箱１の内部空間を分割した場合であっても、分割された空間Ｓ１、Ｓ２に収納される物品に応じて、空間Ｓ１、Ｓ２毎に緩衝材（緩衝手段）を設置する必要がある。
【００４２】
実施の形態２は、収納箱１に設置される緩衝材を低減させることが可能な仕切部材を提供することを目的とするものであり、仕切部材と一体に緩衝材を形成する構造について説明を行う。なお、実施の形態１と同様の構成部分については同一符号を附すと共に、その詳細な説明は省略するものとする。
【００４３】
図４は、実施の形態２に係る仕切部材２０を示した展開図である。実施の形態２に係る仕切部材２０は、例えば、換気空調装置本体にダクトを介して接続されて天井や壁面等に設置され、室内空気の給気または排気を行う換気グリルを保護するための緩衝材としての機能を備えている。図４に示す仕切部材２０において、点線部Ａより上側の端部は、既に説明した上折返部１２を構成する部分であり、点線部Ａと点線部Ｂとに挟まれる部分は、起立壁部９を構成する部分である。また、点線部Ｂおよび点線部Ｃの折り曲げによって、下折返部１１が形成される。
【００４４】
なお、起立壁部９の中央には、点線部Ａを端部とした短冊状（横コ字状）の切り込みが形成されており、点線部Ａの折り曲げによって短冊状部分２１が起立壁部９より起立されて、上折返部１２と水平な天面保護材（天面保護部）を形成する構造となっている。また、起立壁部９の中央には、換気グリルの円筒ダクトの管径に対応する環状孔２２が形成されており、この環状穴２２の側縁部は矩形に切り抜かれている（図４に示す斜線部は、切り抜かれた部分を示す。）。
【００４５】
点線部Ｃより下側部分は、既に説明した延伸部を構成するものであるが、この延伸部２３の延伸端部は実施の形態１に比べてさらに延伸形成されており、その端部には係止突状部２４が形成されている。また、延伸部２３には、複数の折曲線（点線部ａ、点線部ｂ、点線部ｃ１〜ｃ３、点線部ｄ、点線部ｅ１、点線部ｅ２）が形成されると共に、収納箱１に収納される換気グリルに応じて適切な折り曲げ箇所を示すためのガイド文字２９（図４に示すＡ（山）、Ｂ（山）、Ｃ（谷）、ａ（谷）、ｂ（谷）、ｃ１（谷）、ｃ２（谷）、ｃ３（谷）、ｄ（谷）、ｅ１（谷）、ｅ２（山）の表示）がダンボール片の表面に印刷されている。
【００４６】
さらに、延伸部２３には、係止突状部２５が切り抜き形成される略Ｈ状の切込部２６が形成されている。さらに延伸部２３の起立壁部９寄りの部分には、係止突状部２４、２５に係止して折り曲げ加工された延伸部２３の折り曲げ状態を維持する２つの係止孔２７、２８が形成されている。
【００４７】
次に、このようにして構成される仕切部材２０の延伸部２３の端部を折り曲げ加工することによって、換気グリルの緩衝材を形成する方法について説明する。
【００４８】
図５（ａ１）は、第１換気グリル３０と、延伸部２３の折り曲げ加工がなされた仕切部材２０とが、収納箱１内に収納された状態を示した斜視図である。また、図５（ａ２）は、延伸部２３の折り曲げ加工に応じて保護された第１換気グリル３０が、仕切部材２０と共に収納箱１に収納された状態を示す側方断面図である。
【００４９】
図５（ａ１）、（ａ２）に示される第１換気グリル３０は、円筒ダクト３０ａの端部がＬ字状に屈曲されるとともに、円筒ダクト３０ａに小箱状の機能部品（例えば、除菌機能用部品）３０ｂが取り付けられている。仕切部材２０では、この第１換気グリル３０の緩衝材を構成するために、図４に示される延伸部２３の点線部ａ及び点線部ｂを谷折りに折り曲げると共に、点線部ｃ１を谷折りに折り曲げて係止突状部２４を係止孔２７に嵌入させる。さらに略Ｈ状の切込部２６における点線部ｃ２、ｃ３をそれぞれ谷折りに折り曲げて、折り曲げられた点線部ｃ２の先端に形成される係止突状部２５を係止孔２８に嵌入させる。
【００５０】
このように、延伸部２３が折り曲げられることによって、点線部ａと点線部ｂとの折り曲げにより形成された部分３２が収納箱１の側壁面７ｂに当接して仕切部材２０の移動を規制する。第１換気グリル３０は、仕切部材２０の起立壁部９に形成された環状孔２２に円筒ダクト３０ａが貫入されることによって、円筒ダクト３０ａ側の端部が持ち上げられた状態で支持される。さらに、略Ｈ状の切込部２６が、第１換気グリル３０の機能部品３０ｂを支持するようにして凹部３３を形成するため、この凹部３３に機能部品３０ｂが収納されて位置決めがなされる。このように、延伸部２３の点線部ａ、ｂ、ｃ１、ｃ２、ｃ３を適宜折り曲げて形成された形状変形部によって、第１換気グリル３０に好適な緩衝材が構成されて、収納箱１への収納が行われる。
【００５１】
このようにして延伸部２３を折り曲げ加工することによって、第１換気グリル３０の緩衝材と仕切部材２０とを一枚のダンボール片によって構成することができるので、収納箱１に用いられる緩衝材等の部材数を少なくすることが可能となる。
【００５２】
また、点線部Ａを端部とする短冊状部分２１が、点線部Ａの折り曲げによって天面保護材を形成するので、第４フラップ５と第５フラップ６とに粘着されたテープ材等を刃物等で裂いて開箱する場合であっても、短冊状部分２１により箱内部へ刃物先端が進入することを防ぐことができ、第１換気グリル３０等に傷等がついてしまうことを防止することできる。さらに、仕切部材２０に形成される短冊状部分２１が天面保護材としての役割を有するため、天面保護材を別部材として収納箱１に梱包する必要が無くなり、部材数を少なくすることができると共に、梱包作業の負担を軽減することが可能となる。
【００５３】
また、上述するようにして起立壁部９に環状孔２２を形成し、この環状孔２２に円筒ダクト３０ａを貫入させることによって、第１換気グリル３０を持ち上げ支持することができるので、起立壁部９を第１換気グリル３０の支持部材（緩衝部材）として利用することができる。さらに起立壁部９により収納箱１の内部空間を区分けすることができるので、起立壁部９と第１フラップ２、第２フラップ３とにより形成される空間内に説明書等の付属品を収納することができ、第１換気グリル３０を付属品等に干渉させることなく収納箱１に収納することが可能となる。
【００５４】
なお、実施の形態２に係る仕切部材２０の表面には、図４に示すように、収納箱１に収納される換気グリルの種類に応じて適切な緩衝材形状を形成するためのガイド文字２９が印刷されている。従って、延伸部２３の折り曲げ位置をガイド文字２９に従って変更することによって、換気グリルの種類に適した好適な緩衝材形状を、一種類のダンボール片によって形成することが可能となる。
【００５５】
例えば、図５（ｂ１）に示す第２換気グリル４０は、第１換気グリル３０に比べて円筒ダクト４０ａの長さが短く、さらに機能部品が設けられていない。第２換気グリル４０に適した緩衝材形状を形成する場合には、図４に示す点線部Ａ、点線部Ｂ、点線部Ｃ、点線部ａ、点線部ｂ、点線部ｃ１を適宜折り曲げると共に、実線部Ｆに切り込みをいれて、略Ｈ状の切込部２６のうち係止突状部２５側の点線部ｃ２，ｃ３のみを適宜折り曲げることによって、図５（ｂ２）に示すように、第２換気グリル４０の外形状に適した緩衝材形状を構成することが可能となる。
【００５６】
また、図６（ａ１）に示す第３換気グリル４２は、円筒ダクト４２ａがストレート形状となっており、また、機能部品が設けられていない。第３換気グリル４２に適した緩衝材形状を形成する場合には、図４に示す点線部Ａ、点線部Ｂ、点線部Ｃ、点線部ａ、点線部ｂを適宜折り曲げると共に、点線部ｃ１、点線部ｄを谷折りに折り曲げ、さらに点線部ｃ２を谷折りに折り曲げることによって係止突状部２５を係止孔２８に係止させて起立部４３を形成する。点線部ｃ２の折り曲げにより形成された起立部４３に対して、第３換気グリル４２の端部を当接させることによって、図６（ａ２）に示すように、第３換気グリル４２の移動を規制することができ、仕切部材２０によって、第３換気グリル４２の外形状に適した緩衝材形状を構成することが可能となる。
【００５７】
さらに、図６（ｂ１）に示す第４換気グリル４４は、円筒ダクト４４ａがストレート形状であって第３換気グリル４２よりも長さが長い。第４換気グリル４４に適した緩衝材形状を形成する場合には、図４に示す点線部Ａ、点線部Ｂ、点線部Ｃ、点線部ａ、点線部ｂを適宜折り曲げると共に、点線部ｅ１を谷折り、点線部ｅ２を山折りに折り曲げることによって、点線部ｅ１と点線部ｅ２との間に起立壁４５を形成する。この起立壁４５に対して、第４換気グリル４４の端部を当接させることによって、図６（ｂ２）に示すように、第４換気グリル４４の移動を規制することができ、仕切部材２０により、第４換気グリル４４の外形状に適した緩衝材を構成することが可能となる。
【００５８】
このように、延伸部２３の折り曲げ位置および折り曲げ方向を変更することによって、１種類のダンボール片により多種類の換気グリルに適した緩衝材形状を形成することができるので、緩衝材の共通化を図ることができ、緩衝材のコスト低減を実現することが可能となる。
【００５９】
また、仕切部材２０が緩衝材を兼ねるため、仕切部材２０と緩衝材とが別々に構成される場合に比べて構成品数を減らすことができ、さらに、収納作業時における作業負担を低減させることが可能となる。
【００６０】
以上、本発明に係る仕切部材８、２０を、図面を用いて詳細に説明したが、本発明に係る仕切部材は上記実施の形態に示したものには限定されない。当業者であれば、特許請求の範囲に記載された範疇内において、各種の変更例または修正例に想到しうることは明らかであり、それらについても当然に本発明の技術的範囲に属するものと了解される。
【００６１】
例えば、上述した実施の形態１では、起立壁部９の上縁部の点線部Ａを第２フラップ３方向へと折り曲げて上折返部１２を形成し、さらに点線部Ｂと点線部Ｃとの折り曲げによって下折返部１１を形成する構造について説明をしたが、本発明に係る仕切部材は、必ずしも上折返部１２あるいは下折返部１１を備える構造に限定されるものではない。例えば、上折返部１２および下折返部１１を設けず、起立壁部と延伸部とによって側方断面がＬ字形状となる場合であっても、第１フラップ２および第２フラップ３を起立壁部に当接させ、さらに延伸部の先端を収納箱１の他側面７ｂに内接させることによって、仕切部材の移動および傾動を規制することが可能となる。
【００６２】
また、上述した実施の形態１および実施の形態２では、延伸部１０、１５、２３の端部１０ａ、１５ａを直接側壁面７ｂに内接する構造としたが、延伸部１０、１５、２３の端部１０ａ、１５ａと側壁面７ｂとの間に図示しない別の部材を設けて、仕切部材８、１３、２０の移動を規制する構造としてもよい。例えば、別の部材の一例として、他の側壁面７ｂ側に設けられるフラップを利用することによって、延伸部１０、１５、２３の端部１０ａ、１５ａが、フラップを介して側壁面７ｂ側に内接する構造であってもよい。
【００６３】
さらに、上述した実施の形態１では、収納箱１の下縁部に形成される第１フラップ２と上縁部に形成される第２フラップ３との２つのフラップによって起立壁部９が支持される構成例を示したが、本発明に係る仕切部材は必ずしも２つのフラップによって支持される構造には限定されない。例えば、第１フラップ２または第２フラップ３のどちらか一方のみによって仕切部材８が支持される場合であっても、仕切部材８の移動や傾動を効果的に防止することが可能である。
【００６４】
また、実施の形態２において説明した仕切部材２０では、収納する商品の一例として換気グリルを用い、延伸部２３を換気グリルの種類に応じて折曲加工する場合について説明を行ったが、本発明に係る仕切部材により構成される緩衝材形状は、換気グリルに適した緩衝材形状に限定されるものでない。収納する商品が異なる商品等の場合にも、その商品の外観形状に応じて延伸部を折り曲げ加工することができ、あらゆる商品に対応する緩衝材形状を仕切部材により構成することが可能である。
【図面の簡単な説明】
【００６５】
【図１】実施の形態１に係る仕切部材および収納箱を示した外観斜視図である。
【図２】（ａ）は実施の形態１に係る仕切部材を示した展開図であり、（ｂ）は収納箱に収納された仕切部材を示した側方断面図である。
【図３】（ａ）起立壁部と延伸部とを２つの部材によって構成した仕切部材を示した斜視図、（ｂ）は収納箱に収納された仕切部材を示した側方断面図である。
【図４】実施の形態２に係る仕切部材を示した展開図である。
【図５】実施の形態２に係る仕切部材を折り曲げ加工して緩衝材を形成した状態を示す図である。
【図６】実施の形態２に係る仕切部材を折り曲げ加工して緩衝材を形成した他の状態を示す図である。
【符号の説明】
【００６６】
１     …収納箱
２     …第１フラップ
３     …第２フラップ
４     …第３フラップ
５     …第４フラップ
６     …第５フラップ
７ａ     …（収納箱の）側壁面（一側面）
７ｂ     …（収納箱の）側壁面（他側面）
８、１３、２０     …仕切部材
９、１４     …起立壁部
１０、１５、２３   …延伸部
１０ａ、１５ａ  …（延伸部の）端部
１１   …（仕切り部材の）下折返部
１２   …（仕切り部材の）上折返部
１６   …（起立壁部の）突縁部
１７   …（延伸部の）係合孔
２１   …（仕切り部材の）短冊状部分（天面保護部）
２２   …（起立壁部に形成される）環状孔
２４、２５   …係止突状部
２６   …切込部
２７、２８   …係止孔
２９   …ガイド文字
３０   …第１換気グリル
３０ａ  …（第１換気グリルの）円筒ダクト
３０ｂ  …（第１換気グリルの）機能部品
３２   …（点線部ａと点線部ｂとの折り曲げにより形成された）部分
３３   …（切込部により形成される）凹部
４０   …第２換気グリル
４０ａ  …（第２換気グリルの）円筒ダクト
４２   …第３換気グリル
４２ａ  …（第３換気グリルの）円筒ダクト
４３   …(点線部ｃ２の折り曲げにより形成された)起立部
４４   …第４換気グリル
４４ａ  …（第４換気グリルの）円筒ダクト
４５   …(点線部ｅ１と点線部ｅ２との間に形成される)起立壁
【図１】
2008296949.tif 000003
【図２】
2008296949.tif 000004
【図３】
2008296949.tif 000005
【図４】
2008296949.tif 000006
【図５】
2008296949.tif 000007
【図６】
2008296949.tif 000008